(57)【要約】アノード（９）およびカソード（１０）を有する閃光放電管（１）と、カソード（１０）に向けて光を発光する補助発光部（１１）と、を備える。補助発光部（１１）は、外部光による閃光放電管（１）付近の光強度を測定する受光素子（１２）と、閃光放電管（１）を発光させるタイミングの直前、またはほぼ同時に、受光素子（１２）が受光した光強度と所定のしきい値とを比較する比較部（１３）と、比較部（１３）による比較の結果に基づいて、光強度が所定のしきい値よりも低い場合に点灯する点灯部（１５）とを有する。これにより周辺環境によらず閃光放電管（１）を安定して発光させるストロボ装置および撮像装置を実現する。
2014108975.tif 000002
【特許請求の範囲】
【請求項１】
アノードおよびカソードを有する閃光放電管と、前記カソードに向けて光を発光する補助発光部と、を備え、
前記補助発光部は、
外部光による前記閃光放電管付近の光強度を測定する受光素子と、
前記閃光放電管を発光させるタイミングの直前、またはほぼ同時に、前記受光素子が受光した前記光強度と所定のしきい値とを比較する比較部と、
前記比較部による比較の結果の基づいて、前記光強度が前記所定のしきい値よりも低い場合に点灯する点灯部と、を有するストロボ装置。
【請求項２】
前記受光素子は、前記カソード付近の前記外部光による前記光強度を測定する請求項１に記載のストロボ装置。
【請求項３】
前記受光素子は、前記閃光放電管から発光された光の発光強度を計測する請求項１に記載のストロボ装置。
【請求項４】
前記点灯部は、３５０ｎｍから６５０ｎｍの波長を含む白色または紫外光を発光する請求項１に記載のストロボ装置。
【請求項５】
前記カソードは、少なくともセシウムを含む物質で構成される請求項１に記載のストロボ装置。
【請求項６】
前記点灯部は、前記カソード近傍に配置された自発光素子で構成される請求項１に記載のストロボ装置。
【請求項７】
請求項１に記載のストロボ装置を備える撮像装置。
【発明の詳細な説明】
【技術分野】
【０００１】
本発明は、閃光放電管を発光させるストロボ装置およびそれを備えた撮像装置に関し、特に、暗所でも容易に閃光放電管を発光させることが可能なストロボ装置および撮像装置に関する。
【背景技術】
【０００２】
一般に、デジタルスチルカメラなどのカメラ（撮像装置）は、被写体に十分な光量の光を与えるためのストロボ装置を内蔵、あるいは別体として取付可能な構成を備えている。【０００３】
ストロボ装置は、閃光放電管の発光により、十分な光量で発光して、被写体を照射する。なお、閃光放電管は、ガラス管の両端にガラスビードを介して封着される一対のアノードおよびカソードを備えている。また、ガラス管内には、希ガス（キセノン）が封入されている。そして、アノードおよびカソードに電圧を印加することにより、希ガスが電離する。これにより、アノードおよびカソード間に放電路が形成されて、閃光放電管が発光する。【０００４】
このとき、閃光放電管の発光は、図４に示すような回路によって実現される。【０００５】
以下に、閃光放電管の発光を実現する、一般的な回路について、図４を用いて説明する。図４は、ストロボ装置に備えられた回路の一例を示す回路図である。【０００６】
図４に示すように、ストロボ装置に備えられた回路は、トリガ外部電極２、蓄電素子３、電池電源４などが並列に接続されて構成されている。トリガ外部電極２は、閃光放電管１の外周面に設けられる。蓄電素子３は、コンデンサなどから構成される。電池電源４は、蓄電素子３に電力を供給する。【０００７】
さらに、上記回路は、昇圧チョッパ回路５、制御部６、トリガ回路７、スイッチ回路８などを備えている。昇圧チョッパ回路５は、電池電源４の電圧を昇圧する。制御部６は、装置全体の動作などを制御する。トリガ回路７は、閃光放電管１を発光させるタイミングでトリガ外部電極２に電圧を印加する。スイッチ回路８は、撮影に必要な発光量に応じて閃光放電管１の発光時間を制御する。【０００８】
また、閃光放電管１は、アノード９およびカソード１０を有し、例えば樋状の反射傘（図示せず）内に配置されている。そして、アノード９およびカソード１０間に電圧が印加された状態で、トリガ回路７からトリガ外部電極２に電圧が瞬間的に印加されると、閃光放電管１が瞬間的に発光する。このとき、閃光放電管１の発光による閃光が反射傘で反射して、被写体を瞬間的に照明する。【０００９】
なお、一般的に、閃光放電管１を安定して発光させるためには、アノード９およびカソード１０間の電圧（点灯電圧）が低いのが望ましい。【００１０】
しかしながら、暗所などでは、閃光放電管１に印加する点灯電圧が高くなる傾向にある。なぜなら、閃光放電管１が点灯していないときには、閃光放電管１の内部が電気的に平衡状態であるため自由電子がない。つまり、暗所では、光がなかったり、光の量が少ないので、閃光放電管１内に放射される自由電子の発生が少ない。そのため、発光に際して高い点灯電圧でカソードから自由電子を放出させる必要がある。そこで、通常、暗所においても、閃光放電管１を安定して発光させるために、閃光放電管１に高い印加電圧を与える倍電圧回路が用いられている。【００１１】
また、閃光放電管を安定して発光させるために、以下に示す構成の装置が提案されている。【００１２】
例えば、希ガス（例えば、キセノン）に紫外光を放射することにより、希ガスを光イオン化して、アノードおよびカソードに印加する電圧を低下させるポータブル通信装置が知られている（例えば、特許文献１参照）。【００１３】
また、点灯電圧を検出し、点灯電圧が所定の電圧以上になったときに、補助光源を点灯させて始動を補助する照明装置が知られている（例えば、特許文献２参照）。【００１４】
しかし、特許文献１に記載のポータブル通信装置は、希ガス（キセノン）を光イオン化させるために、少なくとも１０２ｎｍ以下の真空紫外線が必要になる。そのため、閃光放電管のガラス管に真空紫外線を透過させるには、ガラス管を石英ガラスで形成する必要がある。しかし、石英ガラスは、融点の高さおよび加工の困難さから、閃光放電管のガラス管に用いるには、コスト高や、量産に適していないなどの課題がある。【００１５】
また、特許文献２に記載の照明装置は、暗所でのみ利用するものである。そのため、暗所のみならず、周辺環境に応じて補助光源の点灯を判断する照明装置であれば、より好ましいが、上記照明装置では実現できない。
【先行技術文献】
【特許文献】
【００１６】
【特許文献１】特開２００９−５４１７８７号公報
【特許文献２】特開２００１−３１３１８９号公報
【発明の概要】
【００１７】
本発明は、低コストで、発光環境によらず閃光放電管の発光を安定させるストロボ装置およびそれを備えた撮像装置を提供する。
【００１８】
つまり、本発明のストロボ装置は、アノードおよびカソードを有する閃光放電管と、カソードに向けて光を発光する補助発光部とを備える。補助発光部は、外部光による閃光放電管付近の光強度を測定する受光素子と、閃光放電管を発光させるタイミングの直前、またはほぼ同時に、受光素子が受光した光強度と所定のしきい値とを比較する比較部と、比較部による比較の結果に基づいて、光強度が所定のしきい値よりも低い場合に点灯する点灯部とを有する。
【００１９】
この構成によれば、受光素子は、閃光放電管の発光タイミングの直前、またはほぼ同時に、外部から閃光放電管に照射されている光を受光する。受光素子により受光された光の光強度が、所定のしきい値よりも低い場合、点灯部は、点灯してカソードに光を照射する。これにより、カソードは、点灯部からの光により閃光放電管内に電子を放出する。その結果、低コストで、発光環境によらず閃光放電管を安定して発光させることができる。
【００２０】
また、本発明の撮像装置は、上記ストロボ装置を備える。これにより、ストロボ装置の発光を安定させるとともに、低コストの撮像装置を実現できる。
【図面の簡単な説明】
【００２１】
【図１】図１は、本発明の実施の形態に係るストロボ装置の概略図である。
【図２】図２は、同実施の形態に係る閃光放電管を発光させるフローチャートである。
【図３】図３は、同実施の形態に係るストロボ装置の点灯部の別の例を示す要部断面図である。
【図４】図４は、ストロボ装置に備えられた回路の一例を示す回路図である。
【発明を実施するための形態】
【００２２】
以下、本発明の実施の形態について、図面を参照しながら説明する。なお、本実施の形態によって本発明が限定されるものではない。
【００２３】
（実施の形態）
以下に、本発明の実施の形態に係るストロボ装置について、図１および図４を用いて説明する。なお、上記で、図４を用いて説明した部分と同一部分は、同一符号を付して説明する。また、閃光放電管１、トリガ外部電極２、蓄電素子３、電池電源４、昇圧チョッパ回路５、制御部６、トリガ回路７、スイッチ回路８、およびアノード９については、図４を用いて説明した構成と同一であるので、説明を省略する。
【００２４】
図１は、本発明の実施の形態に係るストロボ装置の概略図である。
【００２５】
つまり、本実施の形態のストロボ装置は、基本的に、図４に示す回路構成を備えている。
【００２６】
さらに、本実施の形態のストロボ装置は、図１に示すように、閃光放電管１のカソード１０に向けて光を発光する補助発光部１１を備えている。なお、通常、ストロボ装置は、撮像装置に設けられ、必要に応じて、被写体を照射する。
【００２７】
そして、補助発光部１１は、少なくとも受光素子１２と、比較部１３と、点灯部１４と、スイッチ部１５などから構成されている。受光素子１２は、外部から閃光放電管１に照射されている光を受光する。比較部１３は、閃光放電管１を発光させるタイミングの直前、またはほぼ同時に、受光素子１２が受光した光の光強度と所定のしきい値とを比較する。点灯部１４は、比較部１３による比較結果に基づいて、光強度が所定のしきい値よりも低い場合に点灯する。スイッチ部１５は、点灯部１４の点灯のオン・オフをスイッチングする。
【００２８】
つまり、受光素子１２は、閃光放電管１で反射した光を受光する。より詳しく説明すると、受光素子１２は、閃光放電管１の外部から照射された光の反射光を受光する。そのため、受光素子１２は、閃光放電管１で反射した光を受光するために閃光放電管１に近接して設けることが好ましい。
【００２９】
また、比較部１３は、制御部６、受光素子１２およびスイッチ部１５と接続される。
【００３０】
以下に、比較部１３の動作について、具体的に説明する。
【００３１】
まず、比較部１３は、制御部６からトリガ外部電極２に電圧を印加するタイミング、すなわち閃光放電管１を発光するタイミングを取得する。同時に、比較部１３は、閃光放電管１を発光するタイミングの直前、またはほぼ同時に、受光素子１２が受光した光の光強度を取得する。
【００３２】
つぎに、比較部１３は、取得した光の光強度と、予め記憶されている所定のしきい値とを比較する。なお、所定のしきい値とは、例えば蛍光灯よりも暗い１００ｌｘ程度である。
【００３３】
このとき、取得した光の光強度が所定のしきい値よりも低い場合、比較部１３は、スイッチ部１５をオンにする信号を送信する。これにより、点灯部１４が電池電源４に接続される。一方、取得した光の光強度が所定のしきい値よりも高い場合、比較部１３は、スイッチ部１５をオフにする信号を送信する。これにより、点灯部１４は電池電源４から切断される。
【００３４】
以上で説明したように、比較部１３は動作する。
【００３５】
また、点灯部１４は、発光ダイオード１６および抵抗１７から構成される。そして、点灯部１４は、電池電源４の正極側に接続されるとともに、スイッチ部１５に接続される。このとき、比較部１３からの信号によりスイッチ部１５がオンすると、点灯部１４の発光ダイオード１６が点灯して、閃光放電管１のカソード１０に向けて光を照射する。
【００３６】
なお、点灯部１４は、発光ダイオード１６から放射される、例えば白色光または紫外光をカソード１０に向けて照射するのが好ましい。具体的には、点灯部１４の発光ダイオード１６は、３５０ｎｍから６５０ｎｍの波長を含む光で発光して、カソード１０に照射するのが好ましい。そこで、点灯部１４の発光ダイオード１６は、例えば４７０ｎｍの波長を有する青色ＬＥＤ（ＩｎＧａＮチップ）に、黄色蛍光体もしくは演色性を改善した緑・赤色蛍光体を樹脂パッケージに混ぜた白色ＬＥＤなどで構成される。そして、白色ＬＥＤからカソード１０に向けて、白色光を照射する。これにより、以降で説明するように、カソード１０から電子を容易に放出させることができる。
【００３７】
同様に、スイッチ部１５は、電池電源４の負極側に接続されるとともに、点灯部１４に接続される。さらに、スイッチ部１５は、比較部１３に接続されて、比較部１３からオン・オフ信号を受け付ける。具体的には、スイッチ部１５は、比較部１３からオン信号を受け取ると、点灯部１４と電池電源４の負極側との間の回路を閉じて、点灯部１４をオン状態にする。一方、スイッチ部１５は、比較部１３からオフ信号を受け取ると、点灯部１４と電池電源４の負極側との間の回路を開いて、点灯部１４をオフ状態にする。これにより、点灯部１４の発光ダイオード１６の発光のオン・オフが制御される。
【００３８】
以下に、本実施の形態のカソード１０の構成について、具体的に説明する。
【００３９】
まず、カソード１０は、仕事関数の低い物質、例えばセシウムまたは少なくともセシウムを含む化合物などから構成される。これにより、カソード１０は、点灯部１４あるいは外部から照射された光により、光電効果を起こす。そして、カソード１０は、光電効果により、閃光放電管１の管内に電子を放出する。なお、光電効果の作用については、以下で説明する。
【００４０】
例えば、カソード１０がセシウムで構成された場合を例に、具体的に説明する。
【００４１】
つまり、カソード１０は、点灯部１４の発光ダイオード１６から６５０ｎｍ以下の波長の光を受光すると、光電効果により、仕事関数１．９３ｅＶを超えた余剰エネルギーを電子として閃光放電管１の管内に放出する。これにより、閃光放電管１のアノード９とカソード１０との間に印加する電圧を低くできる。
【００４２】
つぎに、本実施の形態に係るストロボ装置および撮像装置において、閃光放電管１が発光する動作について、図１を参照しながら、図２を用いて説明する。具体的には、補助発光部１１を利用して、閃光放電管１を発光するまでの流れについて、説明する。
【００４３】
図２は、同実施の形態に係る閃光放電管を発光させるフローチャートである。
【００４４】
図２に示すように、まず、補助発光部１１の比較部１３は、制御部６からの発光信号を受け取る（ステップＳ１）。
【００４５】
つぎに、比較部１３は、制御部６からの発光するタイミングの直前、またはほぼ同時に信号を受けて、補助発光部１１の受光素子１２で、例えば閃光放電管１の反射光などから受光した外部光の光強度を取得する（ステップＳ２）。
【００４６】
そして、比較部１３は、取得した光の光強度と、予め記憶された所定のしきい値とを比較する（ステップＳ３）。
【００４７】
つぎに、比較部１３は、取得した光の光強度が、所定のしきい値より小さいか否かを判断する（ステップＳ４）。このとき、取得した光の光強度が、所定のしきい値よりも小さいと判断した場合（ステップＳ４のＹＥＳ）、比較部１３は、補助発光部１１のスイッチ部１５に、スイッチ部１５をオン状態にする信号を送信する。そして、スイッチ部１５は、比較部１３から受け取ったオン信号に基づいて、電池電源４の負極側と、点灯部１４との間の回路を閉じる。つまり、スイッチ部１５は、比較部１３からオン状態にする信号を受け取ると、電池電源４の負極側と、点灯部１４との間の回路を閉じて、点灯部１４の発光ダイオード１６を点灯させる（ステップＳ５）。これにより、カソード１０は、点灯部１４からの光の照射を受け、光電効果を起こして、閃光放電管１の管内に電子を放出する。
【００４８】
つぎに、カソード１０から放出された電子は、アノード９およびカソード１０間に印加される電界により加速される。
【００４９】
そして、加速された電子で希ガス（キセノン）をイオン化させることにより、閃光放電管１が発光する（ステップＳ６）。
【００５０】
一方、取得した光の光強度が、所定のしきい値よりも大きいと判断した場合（ステップＳ４のＮＯ）、比較部１３は、スイッチ部１５に、スイッチ部１５をオフ状態にする信号を送信する。
【００５１】
そして、閃光放電管１のアノード９とカソード１０間に印加された電圧により、希ガス（キセノン）をイオン化させる。これにより、閃光放電管１が発光する（ステップＳ６）。この場合、加速された電子で希ガス（キセノン）をイオン化することなく、閃光放電管１は発光する。
【００５２】
以上のように、本実施の形態のストロボ装置および撮像装置によれば、まず、補助発光部１１の比較部１３は、制御部６から得られた発光の直前、またはほぼ同時のタイミングに基づいて、受光素子１２から得られた光の光強度と、所定のしきい値とを比較する。
【００５３】
そして、受光素子１２から得られた光の光強度が、所定のしきい値よりも小さい場合、比較部１３は、点灯部１４の発光ダイオード１６を発光させる。
【００５４】
このとき、希ガス（キセノン）は、点灯部１４の発光により閃光放電管１の管内に放出された電子のエネルギーと、トリガ外部電極２から希ガス（キセノン）に与えられたエネルギーとの和によってイオン化する。これにより、閃光放電管１の点灯電圧を下げて、発光させることができる。その結果、閃光放電管１の発光の安定度を高めることができる。
【００５５】
一方、受光素子１２から得られた光の光強度が、所定のしきい値よりも大きい場合、比較部１３は、点灯部１４の発光ダイオード１６を点灯しない。これにより、点灯部１４の発光ダイオード１６を点灯するための消費電力を抑制できるとともに、閃光放電管１の発光の安定度を高めることができる。つまり、外部の光が閃光放電管１のカソード１０に照射されることにより、カソード１０が活性化する。そして、カソード１０から自由電子が閃光放電管１内に放出され、発光しやすくなるため、発光の安定度が高まる。
【００５６】
また、本実施の形態によれば、点灯部１４の発光ダイオード１６の発光により、カソード１０に光を照射する。そのため、閃光放電管１内の希ガス（キセノン）を、直接、アノード９とカソード１９間に印加する電圧で光イオン化する場合に比べて、低コストを実現できる。具体的には、倍電圧回路などの削減により、低コスト化できる。
【００５７】
なお、本実施の形態に係るストロボ装置および撮像装置は、上記実施の形態に限定されるものではない。つまり、本発明の要旨を逸脱しない範囲内において種々変更を加えてよいことはいうまでもない。
【００５８】
例えば、上記実施の形態では、受光素子１２を、閃光放電管１のカソード１０側に近接して設けた例で説明したが、これに限られない。つまり、カソード１０とともに、閃光放電管１の管内に、受光素子を設置してもよい。これにより、カソード１０に照射される光を適切に受光できる。さらに、受光素子１２を閃光放電管１に近接して設置せず、閃光放電管１の周囲の環境における光の光強度を受光する構成としてもよい。これにより、部品配置の制限が少なくなり設計の自由度が増えるという効果が得られる。
【００５９】
また、上記実施の形態では、受光素子１２は、閃光放電管１の外部光の光強度を受光する例で説明したが、これに限られない。例えば、受光素子は、閃光放電管１の発光強度を計測するための閃光放電管１から発光された光を受光する受光素子でもよい。さらに、受光素子１２は、撮像装置の図示しない撮像素子で兼用してもよい。これにより、部品点数の削減で低コストが実現できるという効果が得られる。
【００６０】
また、上記実施の形態では、点灯部１４の発光ダイオード１６として、白色光を発光する構成を例に説明したが、これに限られない。例えば、点灯部１４は、青色の光を含む光を発光する構成が、さらに好ましい。これにより、カソード１０に十分なエネルギーを与えることができる。その結果、カソード１０から、光電効果により、閃光放電管１の管内に十分な電子を放出して、点灯電圧をさらに下げることができる。
【００６１】
また、上記実施の形態では、比較部１３を補助発光部１１に設けた例で説明したが、これに限られない。例えば、比較部１３を、制御部６内に設けてもよい。この場合、制御部６は、内部の演算処理装置により、比較部１３の機能を実現してもよい。これにより、部品点数の削減で低コストが実現できるという効果が得られる。
【００６２】
また、上記実施の形態では、点灯部１４の発光ダイオード１６として、青色ＬＥＤに、黄色蛍光体もしくは演色性を改善した緑・赤色蛍光体を樹脂パッケージに混ぜた白色ＬＥＤを例に説明したが、これに限られない。例えば、点灯部１４の発光ダイオード１６を、紫外ＬＥＤに赤・青・緑色蛍光体を樹脂パッケージに混ぜた白色ＬＥＤで構成しても、同様な効果が得られる。
【００６３】
また、上記実施の形態では、点灯部１４を、白色ＬＥＤなどで構成した例で説明したが、これに限られない。例えば、点灯部を、図３に示すように、有機ＥＬなどの自発光素子１９で構成してもよい。この場合、自発光素子１９は、例えばトリガー電極２を兼ねた反射傘１８の一部を絶縁部２０で絶縁して、カソード１０と対向する部分に蒸着または塗布して形成する。これにより、補助発光部１１にかかる容積を小さくできる。その結果、より小型のストロボ装置を実現できる。
【００６４】
また、上記実施の形態においては、カソード材をセシウムで構成し、閃光放電管のガラス管が石英ガラスの場合、６５０ｎｍ以下の波長を有する光源と組み合わせてもよい。さらに、カソード材をセシウムで構成し、閃光放電管のガラス管が硬質ガラスの場合、３５０ｎｍから６５０ｎｍの波長を有する光源と組み合わせてもよい。さらに、カソード材をセシウム以外の材料で構成し、石英ガラスまたは現行ガラスで閃光放電管のガラス管を構成する場合、下記（表１）を満たす仕事関数の材料でカソード材を構成することが好ましい。これにより、本実施の形態と同様の効果を得ることができる。
【００６５】
【表１】
2014108975.tif 000003
【００６６】
以上で説明したように、本発明のストロボ装置は、両端内部にアノードおよびカソードをそれぞれ有する管状の閃光放電管と、カソードに向けて光を発光する補助発光部とを備える。補助発光部は、外部の光による閃光放電管近傍の強度を測定する受光素子と、閃光放電管を発光させるタイミングの直前に、またはほぼ同時に、受光素子が受光した光の強度と所定のしきい値とを比較する比較部と、比較部による比較の結果、光の強度がしきい値よりも低い場合に点灯する点灯部とを有する構成としてもよい。
【００６７】
この構成によれば、受光素子は、閃光放電管の発光タイミングの直前、またはほぼ同時に、外部から閃光放電管に照射されている光を受光する。受光素子により受光された光の強度が、所定のしきい値よりも低い場合、点灯部は、点灯してカソードに光を照射する。これにより、カソードが閃光放電管内に電子を放出するので、低コストで、発光環境によらず閃光放電管の発光を安定させることができる。
【００６８】
また、本発明のストロボ装置は、受光素子が、カソード付近の外部光による光の強度を測定してもよい。これにより、カソードが受光している光の強度を適切に判断でき、点灯部の点灯または非点灯を適切に判断することができる。
【００６９】
また、本発明のストロボ装置は、受光素子が、閃光放電管から発光された光の発光強度を計測してもよい。これにより、閃光放電管の発光強度を計測するための受光素子を、外部から閃光放電管に照射されている光を受光する受光素子としても用いることができ、低コストを実現できる。
【００７０】
また、本発明のストロボ装置は、点灯部が、白色または紫外光を発光してもよい。
【００７１】
また、本発明のストロボ装置は、点灯部が、３５０ｎｍから６５０ｎｍの波長を含む光を発光してもよい。
【００７２】
また、本発明のストロボ装置は、カソードが、少なくともセシウムを含む物質で構成されてもよい。
【００７３】
これらにより、十分なエネルギーをカソードに与え、電子を放出することができ、閃光放電管の発光を安定させることができる。また、点灯部が上記波長の光を発光することで、点灯部からの漏れ光の被写体への写り込みを効果的に防止できる。
【００７４】
また、本発明のストロボ装置は、点灯部を、カソード近傍に配置された自発光素子で構成してもよい。
【００７５】
この構成によれば、点灯部の光源として、反射傘の一部を電気的に絶縁し、カソード近傍の対向する位置に自発光素子を塗布して設ける。これにより、補助発光部にかかる容積を小さくできる。その結果、より小型のストロボ装置を実現できる。
【００７６】
また、本発明の撮像装置は、上記ストロボ装置を備えてもよい。これにより、撮像装置の発光を安定させた上で、低コストを実現できる。
【産業上の利用可能性】
【００７７】
本発明は、暗所などの発光環境に応じて、安定した発光が要望されるストロボ装置およびそれを備えた撮像装置に有効に利用できる。
【符号の説明】
【００７８】
１    閃光放電管
２    トリガ外部電極
３    蓄電素子
４    電池電源
５    昇圧チョッパ回路
６    制御部
７    トリガ回路
８    スイッチ回路
９    アノード
１０    カソード
１１    補助発光部
１２    受光素子
１３    比較部
１４    点灯部
１５    スイッチ部
１６    発光ダイオード
１７    抵抗
１８    反射傘
１９    自発光素子
２０    絶縁部
【図１】
2014108975.tif 000004
【図２】
2014108975.tif 000005
【図３】
2014108975.tif 000006
【図４】
2014108975.tif 000007
【国際調査報告】
2014108975.tif 000008
2014108975.tif 000009
2014108975.tif 000010
2014108975.tif 000011